(57)【要約】【課題】前後二重のスクリーンの相対移動による採光量の調整時、更には昇降操作の切り替え時に、錘部材の大型化を抑えつつ錘部材が上下動することを防止可能としたロールスクリーンを提供する。【解決手段】本発明のロールスクリーンは、２本の巻取軸４ａ，４ｂと、当該前後二重のスクリーン５ａ，５ｂの重なり具合を調節する調光操作の際に、一方の巻取軸４ａにより一方のスクリーン５ａを巻き取るときは他方の巻取軸４ｂにより他方のスクリーン５ｂを巻き戻し、一方の巻取軸４ａにより一方のスクリーン５ａを巻き戻すときは他方の巻取軸４ｂにより他方のスクリーン５ｂを巻き取るようにして、２本の巻取軸４ａ，４ｂの回転方向を切り替え可能とする回転方向切替機構３０と、を備える。【選択図】図１
2019060073.tif 000002
【特許請求の範囲】
【請求項１】
前後二重のスクリーンを吊下するロールスクリーンであって、
２本の巻取軸と、
当該前後二重のスクリーンの重なり具合を調節する調光操作の際に、一方の巻取軸により一方のスクリーンを巻き取るときは他方の巻取軸により他方のスクリーンを巻き戻し、前記一方の巻取軸により前記一方のスクリーンを巻き戻すときは前記他方の巻取軸により前記他方のスクリーンを巻き取るようにして、前記２本の巻取軸の回転方向を切り替え可能とする回転方向切替機構と、
を備えることを特徴とするロールスクリーン。
【請求項２】
前記回転方向切替機構は、前記調光操作の際には前記２本の巻取軸を互いに逆方向に同期回転させ、当該前後二重のスクリーンの昇降操作の際には前記２本の巻取軸を互いに同方向に同期回転させ、調光操作から昇降操作へ、並びに昇降操作から調光操作へ連続的に移行する際に、前記２本の巻取軸の互いの回転方向を連続的に切り替えるよう構成されていることを特徴とする、請求項１に記載のロールスクリーン。
【請求項３】
前記回転方向切替機構は、前記一方の巻取軸の回転と同期して回転する駆動歯車、及び前記駆動歯車の回転を基に、調光操作時と昇降操作時とで前記他方の巻取軸の回転方向を切り替えて連動回転させるための回転方向切替式の被動歯車ユニットを備え、
前記回転方向切替式の被動歯車ユニットは、
第１の凸部を有し前記駆動歯車の回転を基に連動回転する内歯車と、
回転作用で前記第１の凸部と当接・非当接の状態を生じさせる第２の凸部を有し前記他方の巻取軸を回転させるよう連結する太陽歯車と、
前記太陽歯車と噛合し、且つ前記内歯車に形成される内側歯部に前記遊星歯車を噛合する遊星歯車を有し、前記内歯車及び前記太陽歯車と同軸回転するキャリアと、
前記キャリアの回転に所定の制動トルクを付与する制動部材と、を備え、
前記内歯車における第１の凸部と前記太陽歯車における第２の凸部との当接・非当接の切り替えにより、調光操作と昇降操作とを連続的に切り替え可能としたことを特徴とする、請求項１又は２に記載のロールスクリーン。
【請求項４】
前記内歯車における第１の凸部が前記太陽歯車における第２の凸部に対し非当接の状態を維持するときに調光操作を可能とし、調光操作時では前記キャリアが前記所定の制動トルクの範囲内となって制動し、前記キャリアに設けられた前記遊星歯車を介して前記太陽歯車が前記内歯車に対し逆方向に同期回転するよう作動し、
前記内歯車における第１の凸部が前記太陽歯車における第２の凸部に対し当接する状態を維持するときに昇降操作を可能とし、昇降操作時では前記所定の制動トルクに抗して前記キャリア及び前記太陽歯車が一体となって前記内歯車に対し同方向に同期回転するよう作動することを特徴とする、請求項１から３のいずれか一項に記載のロールスクリーン。
【請求項５】
当該前後二重のスクリーンの下端に錘部材が設けられ、前記錘部材は、昇降操作及び調光操作に応じて前記一方のスクリーンの下端を前記錘部材から引き出すときは前記他方のスクリーンの下端を前記錘部材に引き込み、前記他方のスクリーンの下端を前記錘部材から引き出すときは前記一方のスクリーンの下端を前記錘部材に引き込むよう構成され、
前記内歯車における第１の凸部と前記太陽歯車における第２の凸部との当接・非当接の切り替えに係る回転量と前記錘部材の引き込み、或いは引き出し量は、当該前後二重のスクリーンの各々にて等間隔で連続する透光部と遮光部の１ピッチに対応させていることを特徴とする、請求項３又は４に記載のロールスクリーン。
【発明の詳細な説明】
【技術分野】
【０００１】
本発明は、複数枚のスクリーンを重ね合わせた状態で吊下支持するロールスクリーンに関し、特に、そのスクリーンの重なり方を調節することにより、室内への採光量を調整可能としたロールスクリーンに関する。
【背景技術】
【０００２】
従来、二重に重ね合わせたスクリーンを上下方向に相対移動させて室内への採光量を調節可能としたロールスクリーンが知られている。
【０００３】
このようなロールスクリーンでは、スクリーンに、光を一部透過させる透光部と、光を遮る遮光部とが縞状に交互に形成され、このスクリーンが二重に重ね合わされた状態で吊下支持されている。そして、操作手段の操作により、前後のスクリーンを上下方向に相対移動させて、透光部と遮光部との重なり具合を調整することにより、採光量を調節可能となっている。
【０００４】
特に、２枚のスクリーンを重ね合わせ、それぞれのスクリーンの上端部をそれぞれ別個の巻取軸に巻き取り、或いは巻き戻してスクリーンを昇降可能としたロールスクリーンが開示されている（例えば、特許文献１参照）。特許文献１に開示されるロールスクリーンでは、操作紐の操作により、常には各巻取軸が同期して同方向に回転されて、２枚のスクリーンが同時に昇降される。また、採光量の調整時には、スクリーンの昇降操作の後、操作紐を逆方向に操作すると、一方の巻取軸のみが所定の回転角度内で回転されて、透光部と遮光部が上下方向に相対移動することにより、透光部に対する遮光部の重なり幅を調整し採光量を調節可能としている。尚、特許文献１に開示されるロールスクリーンでは、スクリーンの相対移動範囲を外部から調整可能としている。
【０００５】
一方、２枚のスクリーンを重ね合わせ、それぞれのスクリーンの上端部を二重構造の巻取軸で巻き取り、或いは巻き戻してスクリーンを昇降可能としたロールスクリーンが開示されている（例えば、特許文献２参照）。特許文献４の技法では、それぞれのスクリーンの下端部にそれぞれ個別に２つのウェイトバーを取着し、この２つのウェイトバーを収容する単一のカバーを設け、このカバーを２つのウェイトバーに対し自重により相対移動可能にして、透光部に対する遮光部の重なり幅を調整する際に、２つのウェイトバーの相対的な上下動をそのカバー内部で行わせるように構成している。
【先行技術文献】
【特許文献】
【０００６】
【特許文献１】特許第５５３９８３６号明細書
【特許文献２】特許第４８００８７６号明細書
【発明の概要】
【発明が解決しようとする課題】
【０００７】
特許文献１に開示される技法では、透光部に対する遮光部の重なり幅を調整して採光量を調節する際に、スクリーンの下限に設けられるウェイトバーの高さが上下動してしまうという問題がある。このようなウェイトバーの高さの上下動が生じると、ウェイトバーの下端部からの光漏れが生じることや、気密性を損なうなどの問題が生じる。
【０００８】
また、特許文献２に開示される技法では、２つのウェイトバーを収容する単一のカバーが当該採光量の調整に必要な分だけ高さ方向に大型化してしまい意匠性を損なうという問題がある。
【０００９】
このため、前後二重のスクリーンの相対移動による採光量の調整時、更には昇降操作の切り替え時に、錘部材（ウェイトバー及びボトムカバー）の大型化を抑えつつウェイトバーの上下動を防止し、特に下限位置にある錘部材により、採光量を調節可能な態様でその下方からの光漏れを防止することや、通気量を調節可能な態様で気密性を高める技法が望まれる。
【００１０】
本発明の目的は、上述の問題に鑑みて、前後二重のスクリーンの相対移動による採光量の調整時、更には昇降操作の切り替え時に、錘部材の大型化を抑えつつ錘部材が上下動することを防止可能としたロールスクリーンを提供することにある。
【課題を解決するための手段】
【００１１】
本発明のロールスクリーンは、前後二重のスクリーンを吊下するロールスクリーンであって、２本の巻取軸と、当該前後二重のスクリーンの重なり具合を調節する調光操作の際に、一方の巻取軸により一方のスクリーンを巻き取るときは他方の巻取軸により他方のスクリーンを巻き戻し、前記一方の巻取軸により前記一方のスクリーンを巻き戻すときは前記他方の巻取軸により前記他方のスクリーンを巻き取るようにして、前記２本の巻取軸の回転方向を切り替え可能とする回転方向切替機構と、を備えることを特徴とする。
【００１２】
また、本発明のロールスクリーンにおいて、前記回転方向切替機構は、前記調光操作の際には前記２本の巻取軸を互いに逆方向に同期回転させ、当該前後二重のスクリーンの昇降操作の際には前記２本の巻取軸を互いに同方向に同期回転させ、調光操作から昇降操作へ、並びに昇降操作から調光操作へ連続的に移行する際に、前記２本の巻取軸の互いの回転方向を連続的に切り替えるよう構成されていることを特徴とする。
【００１３】
また、本発明のロールスクリーンにおいて、前記回転方向切替機構は、前記一方の巻取軸の回転と同期して回転する駆動歯車、及び前記駆動歯車の回転を基に、調光操作時と昇降操作時とで前記他方の巻取軸の回転方向を切り替えて連動回転させるための回転方向切替式の被動歯車ユニットを備え、前記回転方向切替式の被動歯車ユニットは、第１の凸部を有し前記駆動歯車の回転を基に連動回転する内歯車と、回転作用で前記第１の凸部と当接・非当接の状態を生じさせる第２の凸部を有し前記他方の巻取軸を回転させるよう連結する太陽歯車と、  前記太陽歯車と噛合し、且つ前記内歯車に形成される内側歯部に前記遊星歯車を噛合する遊星歯車を有し、前記内歯車及び前記太陽歯車と同軸回転するキャリアと、前記キャリアの回転に所定の制動トルクを付与する制動部材と、を備え、前記内歯車における第１の凸部と前記太陽歯車における第２の凸部との当接・非当接の切り替えにより、調光操作と昇降操作とを連続的に切り替え可能としたことを特徴とする。
【００１４】
また、本発明のロールスクリーンにおいて、前記内歯車における第１の凸部が前記太陽歯車における第２の凸部に対し非当接の状態を維持するときに調光操作を可能とし、調光操作時では前記キャリアが前記所定の制動トルクの範囲内となって制動し、前記キャリアに設けられた前記遊星歯車を介して前記太陽歯車が前記内歯車に対し逆方向に同期回転するよう作動し、前記内歯車における第１の凸部が前記太陽歯車における第２の凸部に対し当接する状態を維持するときに昇降操作を可能とし、昇降操作時では前記所定の制動トルクに抗して前記キャリア及び前記太陽歯車が一体となって前記内歯車に対し同方向に同期回転するよう作動することを特徴とする。
【００１５】
また、本発明のロールスクリーンにおいて、当該前後二重のスクリーンの下端に錘部材が設けられ、前記錘部材は、昇降操作及び調光操作に応じて前記一方のスクリーンの下端を前記錘部材から引き出すときは前記他方のスクリーンの下端を前記錘部材に引き込み、前記他方のスクリーンの下端を前記錘部材から引き出すときは前記一方のスクリーンの下端を前記錘部材に引き込むよう構成され、前記内歯車における第１の凸部と前記太陽歯車における第２の凸部との当接・非当接の切り替えに係る回転量と前記錘部材の引き込み、或いは引き出し量は、当該前後二重のスクリーンの各々にて等間隔で連続する透光部と遮光部の１ピッチに対応させていることを特徴とする。
【発明の効果】
【００１６】
本発明によれば、前後二重のスクリーンを相対移動させる際に、特に、前後二重のスクリーンの相対移動による採光量の調整時、更には昇降操作の切り替え時に、錘部材の大型化を抑えつつ錘部材の上下動を防止可能となる。
【図面の簡単な説明】
【００１７】
【図１】本発明による一実施形態のロールスクリーンの概略構成を示す正面図である。
【図２】本発明による一実施形態のロールスクリーンの概略構成を示す断面側面図である。
【図３】本発明による一実施形態のロールスクリーンにおける一実施例の回転方向切替機構を備える操作装置の概略構成を示す断面側面図である。
【図４】（ａ），（ｂ），（ｃ）は、それぞれ本発明に係る一実施例の回転方向切替機構の構成を概略的に示す斜視図である。
【図５】本発明による一実施形態のロールスクリーンにおける一実施例の回転方向切替機構を備える操作装置の概略構成を示す分解斜視図である。
【図６】（ａ），（ｂ）は、それぞれ本発明に係る一実施例の回転方向切替機構の反転切り替えに係る歯車の動作を示す側面図である。
【図７】（ａ），（ｂ），（ｃ）は、それぞれ本発明に係る一実施例の回転方向切替機構の下降操作時、反転切り替えによる調光操作時、及び上昇操作時の動作を概略的に示す断面側面図である。
【図８】（ａ），（ｂ），（ｃ）は、それぞれ本発明による一実施形態のロールスクリーンの下降操作時、反転切り替えによる調光操作時、及び上昇操作時の動作を概略的に示す断面側面図である。
【発明を実施するための形態】
【００１８】
以下、図面を参照して、本発明による各実施形態のロールスクリーンを説明する。尚、本願明細書中、図１に示すロールスクリーンの正面図に対して、図示上方及び図示下方をスクリーンの吊り下げ方向に準じてそれぞれ上方向（又は上側）及び下方向（又は下側）と定義し、図示左方向をロールスクリーンの左側、及び、図示右方向をロールスクリーンの右側と定義して説明する。また、以下に説明する例では、図１に示すロールスクリーンの正面図に対して、視認する側を前側（又は室内側）、その反対側を後側（又は室外側）とする。
【００１９】
（ロールスクリーンの構成）
まず、本発明による一実施形態のロールスクリーンを図面に従って説明する。図１及び図２に示す一実施形態のロールスクリーンは、取付ブラケット１を介して窓枠等の取付面に取着されるフレーム２の両端に支持ブラケット３が取着され、その支持ブラケット３に２本の巻取軸４ａ，４ｂが回転可能に支持されている。
【００２０】
巻取軸４ａ，４ｂは、支持ブラケット３に上下方向に所定の間隔を隔てて支持されるとともに、前後方向に僅かにオフセットした状態で支持されている。
【００２１】
巻取軸４ａには室外側の第１スクリーン５ａの上端部が取着され、巻取軸４ｂには室内側の第２スクリーン５ｂの上端部が取着されている。そして、第１及び第２スクリーン５ａ，５ｂはそれぞれ巻取軸４ａ，４ｂから近接して重ね合わされるように垂下されている。
【００２２】
図２に例示する巻取軸４ａ，４ｂでは、それぞれその室外側から第１及び第２スクリーン５ａ，５ｂを支持する構成としている。
【００２３】
巻取軸４ａ，４ｂ内には、それぞれ第１及び第２スクリーン５ａ，５ｂの巻上時の操作力を軽減するスプリングモーター４１、及び各巻取軸４ａ，４ｂの回転トルクに所定の制動力を付与するブレーキユニット４２等が収容されている。
【００２４】
そして、第１及び第２スクリーン５ａ，５ｂの各下端部はウェイトバー６に取着され（図２参照）、そのウェイトバー６の両端は上方を開口したボトムカバー７に回動可能に支持されている。そして、第１及び第２スクリーン５ａ，５ｂはボトムカバー７内からその開口部へ経て上方へ案内されている。このようなウェイトバー６及びボトムカバー７は、錘部材として構成される。従って、この錘部材は、第１及び第２スクリーン５ａ，５ｂの各下端部を単に固定して錘作用を生じさせるものではなく、昇降操作及び調光操作に応じて第１のスクリーン５ａの下端をボトムカバー７から引き出すときは第２のスクリーン５ｂの下端をボトムカバー７に引き込み、逆に第２のスクリーン５ｂの下端をボトムカバー７から引き出すときは第１のスクリーン５ａの下端をボトムカバー７に引き込むようにして、ウェイトバー６を吊下支持し、錘作用を生じさせるものとなっている。
【００２５】
第１及び第２スクリーン５ａ，５ｂは、光を透過する透光部８と、光を遮光する遮光部９が等間隔で上下方向に縞状に形成されている。そして、第１及び第２スクリーン５ａ，５ｂの各透光部８が前後方向で重なる状態では、その透光部８から外光を採り入れ可能であり、第１スクリーン５ａの透光部８と第２スクリーン５ｂの遮光部９が前後方向で重なり、第１スクリーン５ａの遮光部９と第２スクリーン５ｂの透光部８が前後方向で重なる状態では、外光を遮断可能となっている。
【００２６】
尚、第１及び第２スクリーン５ａ，５ｂに設けられる透光部８は高通気性とし、遮光部９は低通気性を持つよう構成することができる。従って、透光部８に対する遮光部９の重なり幅を調整することで、その通気性を調節することもできる。
【００２７】
図１に示す右方の支持ブラケット３には操作装置１０が取着され、その操作装置１０から無端状のボールチェーン１１が垂下されている。そして、ボールチェーン１１の操作により、巻取軸４ａ，４ｂを互いに同方向に同一速度で同期回転させて、第１及び第２スクリーン５ａ，５ｂを一括して昇降させる昇降操作が可能となっている。
【００２８】
ボールチェーン１１は、コネクタ１２で連結されて無端状に形成されるとともに、第１及び第２スクリーン５ａ，５ｂの昇降範囲を規制する規制部材１３ａ，１３ｂが取着されている。
【００２９】
そして、第１及び第２スクリーン５ａ，５ｂが上限まで引き上げられたとき、規制部材１３ａは操作装置１０のケース１４の背面側に当接して、ボールチェーン１１の同方向へのそれ以上の操作が阻止される。また、第１及び第２スクリーン５ａ，５ｂが下限まで下降したとき、規制部材１３ｂはケース１４の前面側に当接して、ボールチェーン１１の同方向へのそれ以上の操作が阻止される。
【００３０】
コネクタ１２は、ボールチェーン１１のボールを係止するボール係止部と、そのボール係止部を連結する連結部とで構成され、あらかじめ設定された引張り力以上の力で引っ張られると、ボール係止部が連結部から外れるようになっている。
【００３１】
ところで、本実施形態のロールスクリーンでは、第１及び第２スクリーン５ａ，５ｂを昇降操作した後に、ボールチェーン１１を逆方向に引くと、所定回転角度内で巻取軸４ａ，４ｂを互いに逆方向に同一速度で同期回転させて、第１及び第２スクリーン５ａ，５ｂを互いに逆方向上下に相対移動操作可能となっており、これにより透光部８と遮光部９との重なり具合を調整し採光量を調節可能とする調光操作が可能となっている。
【００３２】
この巻取軸４ａ，４ｂを互いに同方向回転させる昇降操作と、巻取軸４ａ，４ｂを互いに逆方向回転させる調光操作の切り替えは連続動作で可能となっており、詳細に後述する回転方向切替機構３０が巻取軸４ａ，４ｂの回転軸に対し設けられることで実現される。即ち、回転方向切替機構３０は、第１及び第２スクリーン５ａ，５ｂの昇降操作時では同期回転で巻取軸４ａ，４ｂの双方を共に同方向回転させ、第１及び第２スクリーン５ａ，５ｂの調光操作時では同期回転で巻取軸４ａ，４ｂを互いに逆方向回転させ、昇降操作と調光操作とを連続動作で切り替え可能となっている。
【００３３】
このため、本実施形態のロールスクリーンでは、昇降操作時には巻取軸４ａ，４ｂの双方の同方向回転により第１及び第２スクリーン５ａ，５ｂが共に巻き取られるか、又は巻き戻され、調光操作時には巻取軸４ａ，４ｂのうち一方軸の巻き取り動作に応じて他方軸の巻き戻し動作が行われ（尚、一方軸の巻き戻し動作に応じて他方軸の巻き取り動作が行われるとして換言してもよい）、昇降操作と調光操作とを連続動作で切り替えることができる。
【００３４】
（回転方向切替機構）
より具体的に、図３乃至図６を参照して、回転方向切替機構３０の構成について説明する。本実施形態の例では、図３及び図４に示すように、回転方向切替機構３０が、ボールチェーン１１を掛装するためのプーリー１５を有する操作装置１０に組み込まれている。ただし、回転方向切替機構３０は、当該プーリー１５を有する操作装置１０とは別体として設けてもよく、例えば操作装置１０を図１に示すように巻取軸４ａ，４ｂの右端側に設けているときに、巻取軸４ａ，４ｂの左端側に回転方向切替機構３０を設けてもよい。
【００３５】
まず、本実施形態において、図１に示すように、操作装置１０のケース１４内にはプーリー１５が回転可能に支持され、そのプーリー１５にボールチェーン１１が掛装されている。そして、ボールチェーン１１の操作によりプーリー１５が正逆方向に回転される。
【００３６】
そして、本実施形態における回転方向切替機構３０は、駆動歯車１６、伝達歯車１７、及び回転方向切替式の被動歯車ユニット２０を備える。ただし、回転方向切替機構３０は、伝達歯車１７を設けない構成とすることや、複数設ける構成とすることもできる。例えば、巻取軸４ａ，４ｂの距離や位置、或いは巻取軸４ａ，４ｂからの第１及び第２スクリーン５ａ，５ｂの垂下位置（本実施形態ではいずれも室外側から垂下）を変更するときなどの場合には、適宜、伝達歯車１７の要否、及び個数や位置を設定する。
【００３７】
本実施形態においては、図３に示すように、駆動歯車１６が操作装置１０のケース１４における柱状の軸部１４１により回転可能に支持されている。駆動歯車１６は、プーリー１５と一体となって回転する。回転方向切替式の被動歯車ユニット２０は、当該ケース１４における柱状の軸部１４３により回転可能に支持されている。そして、伝達歯車１７が、当該ケース１４における柱状の軸部１４２により回転可能に支持され、駆動歯車１６の回転を回転方向切替式の被動歯車ユニット２０に伝達する。
【００３８】
駆動歯車１６の中心軸は、巻取軸４ｂの中心軸と同軸上にあり、駆動歯車１６は、巻取軸４ｂの右端部側に位置して相対回転不能に係合している。また、回転方向切替式の被動歯車ユニット２０の中心軸は、巻取軸４ａの中心軸と同軸上にあり、回転方向切替式の被動歯車ユニット２０の一部を構成する部材（後述する太陽歯車２２）は、巻取軸４ａの右端部側に位置して相対回転不能に係合している。
【００３９】
駆動歯車１６と回転方向切替式の被動歯車ユニット２０の歯数は同数であり、駆動歯車１６、伝達歯車１７、及び回転方向切替式の被動歯車ユニット２０における歯部（内歯車２１の歯部２１１）がそれぞれ噛合されて構成され、ボールチェーン１１の操作に基づいて回転される駆動歯車１６から、伝達歯車１７を介して回転方向切替式の被動歯車ユニット２０に回転力が付与される。
【００４０】
伝達歯車１７は、図４（ｂ）に示すように中心軸孔１７１を有し、その中心軸孔１７１がケース１４から延びる柱状の軸部１４２により回転可能に支持される（図５参照）。
【００４１】
駆動歯車１６は、本例では図４（ｃ）に示すようにプーリー１５と一体的に形成され、中心軸孔１６１を有し、その中心軸孔１６１がケース１４から延びる柱状の軸部１４１により回転可能に支持されている（図５参照）。尚、中心軸孔１６１の周面上には一対の扇状の係合凹部１６２が形成され、この一対の係合凹部１６２は、巻取軸４ｂの右端部側に形成される一対の係合凸部４３と係合し（図５参照）、これにより巻取軸４ｂは、駆動歯車１６に対し相対回転不能に連結して、プーリー１５と一体となって回転可能になる。
【００４２】
ここで、回転方向切替式の被動歯車ユニット２０は、図４（ａ）に示すように、内歯車２１、太陽歯車２２、キャリア２３、遊星歯車２４、及びブレーキバネ２５から構成され、その詳細について図５を参照して説明する。
【００４３】
（回転方向切替式の被動歯車ユニット）
図５を参照するに、回転方向切替式の被動歯車ユニット２０は、ケース１４の収容部１４４に配置される。ブレーキバネ２５は、ケース１４から延びる柱状の軸部１４３の周壁を締め付けるように係着され、キャリア２３の円筒状の軸筒部２３１の内壁２３２がブレーキバネ２５を収容するようにして、キャリア２３が載置される。このとき、ブレーキバネ２５の両端部２５ａ，２５ｂが、それぞれキャリア２３の軸筒部２３１に形成される一対の孔部２３３に係合される。このブレーキバネ２５の作用により、キャリア２３がケース１４に対し所定の制動トルクの範囲内では回転不能に支持され、当該所定の制動トルクを超える回転力がキャリア２３に付与されると、キャリア２３がケース１４に対し回転可能になる。このため、一対の孔部２３３は、それぞれブレーキバネ２５の両端部２５ａ，２５ｂを所定の遊びを持って係合させており、ケース１４から延びる柱状の軸部１４３に対するブレーキバネ２５の締付力を緩和させるようになっている。
【００４４】
キャリア２３は、軸筒部２３１を離間して囲む外周壁２３４を有しており、軸筒部２３１と外周壁２３４との間にギヤ溝２３４ａが形成される。そして、外周壁２３４には、本例では３個の遊星歯車２４を回転対称に配置するための遊星歯車支持部２３５が３箇所形成されている。遊星歯車支持部２３５は外周壁２３４に対し貫通しており、各遊星歯車支持部２３５は、ピン孔２３６で各遊星歯車２４の軸ピン２４ａを軸支することにより、各遊星歯車２４を回転可能に支持している。
【００４５】
このようにして外周壁２３４にて回転可能に支持される各遊星歯車２４は、各遊星歯車２４の歯部が外周壁２３４の内側及び外側で僅かに突出するようになっている。
【００４６】
太陽歯車２２は、軸孔２２１を有し、軸孔２２１がキャリア２３の円筒状の軸筒部２３１によって回転可能に支持され、キャリア２３に対し相対回転可能となっている。このとき、太陽歯車２２は、キャリア２３のギヤ溝２３４ａに載置され、太陽歯車２２の歯部はギヤ溝２３４ａ側に僅かに突出する各遊星歯車２４の歯部と噛合するようになっている。軸孔２２１を有したまま太陽歯車２２から図示左方に突出する円筒状の軸筒部２２２の周面上には一対の扇状の係合凹部２２２ａが形成され、この一対の係合凹部２２２ａは、巻取軸４ａの右端部側に形成される一対の係合凸部４４と係合し、これにより巻取軸４ａは、太陽歯車２２に対し相対回転不能に連結して、太陽歯車２２と一体となって回転可能になる。
【００４７】
また、太陽歯車２２の軸筒部２２２の周面上の一部に、径外方向に突出する凸部２２３が形成されており、凸部２２３はキャリア２３における外周壁２３４の頂部に沿って回転移動可能である。
【００４８】
内歯車２１は、軸孔２１０を有し、軸孔２１０が巻取軸４ａにおける一対の係合凸部４４を貫通させることで、巻取軸４ａと太陽歯車２２との係合を可能としている。そして内歯車２１は、太陽歯車２２及びキャリア２３を包み込むように載置され、内歯車２１に形成される内側歯部２１２がキャリア２３から外方に僅かに突出する各遊星歯車２４の歯部と噛合することで、太陽歯車２２とキャリア２３の双方に対して個別に相対回転可能に支持される。
【００４９】
また、内歯車２１の軸孔２１０上の一部に、径内方向に突出する凸部２１３が形成されており、内歯車２１と太陽歯車２２との相対回転位置によって、内歯車２１の凸部２１３が太陽歯車２２の凸部２２３に対し当接する状態と、非当接となる状態とが生じるようになっている。
【００５０】
そして、回転方向切替式の被動歯車ユニット２０は、伝達歯車１７の歯部が駆動歯車１６に噛み合って収容されているケース１４に対し、内歯車２１の歯部２１１が伝達歯車１７の歯部と噛み合うよう、ケース１４の収容部１４４に配置される。このため、内歯車２１は、駆動歯車１６の回転を基に連動回転する。
【００５１】
このように、本実施形態の回転方向切替機構３０は、駆動歯車１６、伝達歯車１７、及び回転方向切替式の被動歯車ユニット２０を備えるよう構成され、プーリー１５の回転が駆動歯車１６及び伝達歯車１７を経由して、回転方向切替式の被動歯車ユニット２０における内歯車２１の歯部２１１へ伝達される。
【００５２】
そして、回転方向切替式の被動歯車ユニット２０では、ブレーキバネ２５の作用によりキャリア２３がケース１４に対し所定の制動トルクが生じるようになっている。
【００５３】
このため、内歯車２１の凸部２１３が太陽歯車２２の凸部２２３に対し非当接の状態を維持するときの内歯車２１の回転（正逆回転含む）は、キャリア２３がケース１４に対し当該所定の制動トルクの範囲内となって相対回転せずに制動し、キャリア２３に設けられた遊星歯車２４を介して太陽歯車２２が内歯車２１に対し逆方向に同期回転するよう作動する。
【００５４】
つまり、図６（ａ），（ｂ）に示す実線矢印Ａ方向に、内歯車２１の凸部２１３が太陽歯車２２の凸部２２３に対し非当接の状態を維持して内歯車２１が回転するときは、キャリア２３がケース１４に対し当該所定の制動トルクの範囲内となって相対回転せず、遊星歯車２４を介して太陽歯車２２が内歯車２１に対し逆方向となる実線矢印Ｂ方向に同期回転するよう作動する。これにより、巻取軸４ａ，４ｂを互いに逆方向に同一速度で同期回転させて、第１及び第２スクリーン５ａ，５ｂを互いに逆方向上下に相対移動操作可能となり、即ち透光部８と遮光部９との重なり具合を調整し採光量を調節可能とする調光操作が可能となる。
【００５５】
一方、内歯車２１の凸部２１３が太陽歯車２２の凸部２２３に対し当接する状態を維持するときの内歯車２１の回転（正逆回転含む）は、当該所定の制動トルクに抗してキャリア２３及び太陽歯車２２が一体となって内歯車２１に対し同方向に同期回転するよう作動する。
【００５６】
つまり、図６（ａ），（ｂ）に示す実線矢印Ａ方向に、内歯車２１の凸部２１３が太陽歯車２２の凸部２２３に対し当接する状態を維持して内歯車２１が回転するときは、遊星歯車２４の回転が阻止され、当該所定の制動トルクに抗してキャリア２３及び太陽歯車２２が一体となって内歯車２１に対し同方向となる破線矢印Ａ方向に同期回転するよう作動する。これにより、巻取軸４ａ，４ｂを互いに同方向に同一速度で同期回転させて、第１及び第２スクリーン５ａ，５ｂを一括して昇降させる昇降操作が可能となる。
【００５７】
そして、内歯車２１の凸部２１３が太陽歯車２２の凸部２２３に対し当接する状態から非当接とする状態へ、或いは非当接とする状態から当接する状態へと連続させることができる。このため、本実施形態の回転方向切替機構３０は、プーリー１５の正逆回転の切り替えにより昇降操作から調光操作へと連続的に切り替えることができるだけでなく、プーリー１５が正逆回転の切り替えを経て正方向或いは逆方向に連続的に回転するとき、内歯車２１の回転に対し太陽歯車２２の回転が停止することなく正逆回転が切り替わり（常に回転している）、これによって第１及び第２スクリーン５ａ，５ｂに不所望な弛みを生じさせることなく、調光操作から昇降操作へと連続的に切り替えることができる。
【００５８】
従って、本実施形態の回転方向切替機構３０は、調光操作及び昇降操作に係るプーリー１５の回転に対し、調光操作時には巻取軸４ａ，４ｂを互いに逆方向に同期回転させ、昇降操作時には巻取軸４ａ，４ｂを互いに同方向に同期回転させ、調光操作から昇降操作へ、及び昇降操作から調光操作へ連続的に移行する際に、巻取軸４ａ，４ｂの回転を停止させることなく、巻取軸４ａ，４ｂの互いの回転方向を連続的に切り替えることができる。
【００５９】
（ロールスクリーンの全体動作）
ここで、ロールスクリーンの全体動作を図７及び図８を参照して説明する。ここでは、下降操作から、調光操作を経て、上昇操作へと連続的に移行する例を説明する。
【００６０】
〔下降操作時〕
図７（ａ）には本発明に係る一実施例の回転方向切替機構３０の下降操作時の動作を概略的に示しており、図８（ａ）には本実施形態のロールスクリーンの下降操作時の動作を概略的に示している。
【００６１】
まず、図７（ａ）に示す第１及び第２スクリーン５ａ，５ｂの下降操作の際には、駆動歯車１６がプーリー１５の回転に一体となって回転し（図４（ｃ）参照）、この駆動歯車１６と係合する巻取軸４ｂが第２スクリーン５ｂの巻き戻し方向に回転する（図８（ａ）参照）。駆動歯車１６の回転は、伝達歯車１７を介して回転方向切替式の被動歯車ユニット２０における内歯車２１に伝達され、内歯車２１は駆動歯車１６と同方向に同期して同一速度で回転する。
【００６２】
このとき、回転方向切替式の被動歯車ユニット２０では、ブレーキバネ２５の作用によりキャリア２３はケース１４に対し所定の制動トルクが生じるようになっているが（図５参照）、内歯車２１の凸部２１３が太陽歯車２２の凸部２２３に対し当接する状態を維持しており、遊星歯車２４の回転が阻止され、当該所定の制動トルクに抗してキャリア２３及び太陽歯車２２が一体となって内歯車２１に対し同方向に同期回転する。
【００６３】
従って、図７（ａ）に示す第１及び第２スクリーン５ａ，５ｂの下降操作の際には、太陽歯車２２が駆動歯車１６と同方向に同期して同一速度で回転し、この太陽歯車２２と係合する巻取軸４ａが第１スクリーン５ａの巻き戻し方向に回転する（図８（ａ）参照）。
【００６４】
そして、第１及び第２スクリーン５ａ，５ｂを下降操作したときに、第１スクリーン５ａの透光部８と第２スクリーン５ｂの遮光部９が前後方向で重なり、第１スクリーン５ａの遮光部９と第２スクリーン５ｂの透光部８が前後方向で重なる状態を維持して、第１及び第２スクリーン５ａ，５ｂが下降するため、例えば図８（ａ）に示すようにボトムカバー７が床面から高さｈ（≧０）の位置となる下限位置まで下降させることで、遮蔽状態とすることができる。
【００６５】
〔調光操作時〕
図７（ｂ）には本発明に係る一実施例の回転方向切替機構３０の下降操作から切り替えた調光操作時の動作を概略的に示しており、図８（ｂ）には本実施形態のロールスクリーンの下降操作から切り替えた調光操作時の動作を概略的に示している。特に、図８（ｂ）は、図８（ａ）に示す第１及び第２スクリーン５ａ，５ｂの下限位置からの調光操作時の動作を概略的に示している。
【００６６】
まず、図７（ｂ）に示す第１及び第２スクリーン５ａ，５ｂの調光操作の際には、図７（ａ）に示す下降操作からの切り替えとして逆方向の回転とする駆動歯車１６がプーリー１５の回転に一体となって回転し（図４（ｃ）参照）、この駆動歯車１６と係合する巻取軸４ｂが第２スクリーン５ｂの巻き取り方向に回転する（図８（ｂ）参照）。駆動歯車１６の回転は、伝達歯車１７を介して回転方向切替式の被動歯車ユニット２０における内歯車２１に伝達され、内歯車２１は駆動歯車１６と同方向に同期して同一速度で回転する。
【００６７】
このとき、回転方向切替式の被動歯車ユニット２０では、ブレーキバネ２５の作用によりキャリア２３はケース１４に対し所定の制動トルクが生じるようになっており（図５参照）、内歯車２１の凸部２１３が太陽歯車２２の凸部２２３に対し非当接とする状態を維持して内歯車２１が回転するときは、キャリア２３がケース１４に対し当該所定の制動トルクの範囲内となって相対回転せず、遊星歯車２４を介して太陽歯車２２が内歯車２１に対し逆方向に同期回転する。
【００６８】
従って、図７（ｂ）に示す第１及び第２スクリーン５ａ，５ｂの調光操作の際には、太陽歯車２２が駆動歯車１６と逆方向に同期して同一速度で回転し、この太陽歯車２２と係合する巻取軸４ａが第１スクリーン５ａの巻き戻し方向に回転する（図８（ｂ）参照）。
【００６９】
このように、第２スクリーン５ｂの巻き取り量に応じて第１スクリーン５ａが巻き戻されるため、ウェイトバー６及びボトムカバー７は上下動しない。そして、第１及び第２スクリーン５ａ，５ｂを互いに逆方向上下に相対移動操作可能となり、即ち透光部８と遮光部９との重なり具合を調整し採光量を調節可能とする調光操作が可能となる。
【００７０】
尚、内歯車２１の凸部２１３が太陽歯車２２の凸部２２３に対し非当接とする状態を維持している限り、プーリー１５（即ち駆動歯車１６）を正逆回転させてもウェイトバー６及びボトムカバー７が上下動することはないため、調光操作の使い勝手が向上したものとなる。
【００７１】
また、第１及び第２スクリーン５ａ，５ｂの各下端部はウェイトバー６に取着され、そのウェイトバー６の両端は上方を開口したボトムカバー７に回動可能に支持されている。このようなウェイトバー６及びボトムカバー７は錘部材として構成され、この錘部材は、第１及び第２スクリーン５ａ，５ｂの各下端部を単に固定して錘作用を生じさせるものではなく、昇降操作及び調光操作に応じて第１のスクリーン５ａの下端をボトムカバー７から引き出すときは第２のスクリーン５ｂの下端をボトムカバー７に引き込み、逆に第２のスクリーン５ｂの下端をボトムカバー７から引き出すときは第１のスクリーン５ａの下端をボトムカバー７に引き込むようにして、ウェイトバー６を吊下支持し、錘作用を生じさせるものとなっている。
【００７２】
そして、内歯車２１の凸部２１３と太陽歯車２２の凸部２２３との当接・非当接の切り替えに係る回転量とウェイトバー６の回動量（引き込み、或いは引き出し量）は、第１及び第２スクリーン５ａ，５ｂの各々にて所定間隔で連続する透光部８と遮光部９の１ピッチに対応させている。本例では、透光部８の上下方向長さに対し遮光部９の上下方向長さを約２倍として、１ピッチを構成している。
【００７３】
〔上昇操作時〕
図７（ｃ）には本発明に係る一実施例の回転方向切替機構３０の調光操作から連続して移行する上昇操作時の動作を概略的に示しており、図８（ｃ）には本実施形態のロールスクリーンの調光操作から連続して移行する上昇操作時の動作を概略的に示している。
【００７４】
まず、図７（ｃ）に示す第１及び第２スクリーン５ａ，５ｂの上昇操作の際には、図７（ａ）に示す下降操作とは逆方向の回転とする駆動歯車１６がプーリー１５の回転に一体となって回転し（図４（ｃ）参照）、この駆動歯車１６と係合する巻取軸４ｂが第２スクリーン５ｂの巻き取り方向に回転する（図８（ｃ）参照）。駆動歯車１６の回転は、伝達歯車１７を介して回転方向切替式の被動歯車ユニット２０における内歯車２１に伝達され、内歯車２１は駆動歯車１６と同方向に同期して同一速度で回転する。
【００７５】
このとき、回転方向切替式の被動歯車ユニット２０では、ブレーキバネ２５の作用によりキャリア２３はケース１４に対し所定の制動トルクが生じるようになっているが（図５参照）、内歯車２１の凸部２１３が太陽歯車２２の凸部２２３に対し当接する状態を維持しており、遊星歯車２４の回転が阻止され、当該所定の制動トルクに抗してキャリア２３及び太陽歯車２２が一体となって内歯車２１に対し同方向に同期回転する。
【００７６】
従って、図７（ｃ）に示す第１及び第２スクリーン５ａ，５ｂの上昇操作の際には、太陽歯車２２が駆動歯車１６と同方向に同期して同一速度で回転し、この太陽歯車２２と係合する巻取軸４ａが第１スクリーン５ａの巻き取り方向に回転する（図８（ｃ）参照）。
【００７７】
そして、所望の高さまで第１及び第２スクリーン５ａ，５ｂを上昇操作させて、解放状態とすることができる。
【００７８】
尚、内歯車２１の凸部２１３と太陽歯車２２の凸部２２３との当接・非当接の切り替えに係る回転量とウェイトバー６の回動量は、第１及び第２スクリーン５ａ，５ｂの各々にて所定間隔で連続する透光部８と遮光部９の１ピッチに対応させている。このため、巻取軸４ａ，４ｂをそれぞれ同径とすると、図８（ａ）に示す巻取軸４ａの周面上Ａ点、及び巻取軸４ｂの周面上Ｂ点を参照するに、調光操作は、図８（ｂ）に示すように、巻取軸４ａについては図示する時計回りに回転し、これに同期して巻取軸４ｂについては図示する反時計回りに回転する範囲で、透光部８と遮光部９との重なり具合を調整することができる。また、上昇操作では、図８（ｃ）に示すように、巻取軸４ａの周面上Ａ点、及び巻取軸４ｂの周面上Ｂ点の位相差（回転角度差）を維持して巻取軸４ａ，４ｂの双方が同期して第１及び第２スクリーン５ａ，５ｂの巻き取り方向に回転する。従って、この上昇操作時において第１及び第２スクリーン５ａ，５ｂの弛みを生じさせることなく、第１及び第２スクリーン５ａ，５ｂの各透光部８が前後方向で重なり、各遮光部９も前後方向で重なる状態を維持して、第１及び第２スクリーン５ａ，５ｂが上昇する。
【００７９】
また、調光操作から連続して下降操作へと移行するときも同様に動作するため、下降操作において第１及び第２スクリーン５ａ，５ｂの弛みを生じさせることなく、例えば図８（ａ）に示したボトムカバー７の下限位置まで、第１スクリーン５ａの透光部８と第２スクリーン５ｂの遮光部９が前後方向で重なり、第１スクリーン５ａの遮光部９と第２スクリーン５ｂの透光部８が前後方向で重なる状態を維持して、第１及び第２スクリーン５ａ，５ｂが下降する。
【００８０】
このように、本実施形態では、第１及び第２スクリーン５ａ，５ｂを一括して昇降操作した後に、ボールチェーン１１を逆方向に操作して、駆動歯車１６を逆方向に回転させたとき、回転方向切替機構３０の作用により巻取軸４ａが巻取軸４ｂとは逆方向に回転されて調光操作が可能となる。このため、この巻取軸４ａが巻取軸４ｂとは逆方向に回転されることによる調光操作により、第２スクリーン５ｂの巻き取り量に応じて第１スクリーン５ａが巻き戻され、或いは第２スクリーン５ｂの巻き戻し量に応じて第１スクリーン５ａが巻き取られるため、ウェイトバー６及びボトムカバー７はほとんど上下動しない。
【００８１】
従って、本実施形態のロールスクリーンは、ウェイトバー６及びボトムカバー７を上下動させることなく採光量の調節動作を行うことができる。
【００８２】
そして、本実施形態のロールスクリーンにおける調光動作は、ウェイトバー６及びボトムカバー７が下限位置であるか否かに関わらず同様に動作するため、ウェイトバー６及びボトムカバー７の任意位置での調光機能、或いは通気調整機能を持たせたロールスクリーンを実現できる。
【００８３】
特に、ボトムカバー７が下限位置にあるときに、採光量を調節可能な態様でボトムカバー７の下方からの光漏れを防止することや、通気量を調節可能な態様でボトムカバー７の下方からの気密性を高めることができる。
【００８４】
また、ウェイトバー６に対してボトムカバー７を相対移動可能とする構成よりも、ウェイトバー６及びボトムカバー７の小型化にも寄与することとなる。
【００８５】
特に、本実施形態では、前後二重の第１及び第２スクリーン５ａ，５ｂをより近接、或いは密着させる構成で、ウェイトバー６及びボトムカバー７を上下動させることなく、尚且つ第１及び第２スクリーン５ａ，５ｂの弛みを生じさせることなく、採光量の調節動作を行うことができるため、使い勝手が向上する。
【００８６】
以上、特定の実施形態の例を挙げて本発明を説明したが、本発明は前述の実施形態の例に限定されるものではなく、その技術思想を逸脱しない範囲で種々変形可能である。例えば、上述した実施形態の例では、巻取軸４ａ，４ｂの回転操作のためにボールチェーンによる操作を例に説明したが、紐状の操作コードよる回転操作としてもよい。
【００８７】
また、上述した実施形態の例では、主として、回転方向切替機構３０を操作装置１０に組み込んだ例を説明したが、回転方向切替機構３０は、当該プーリー１５を有する操作装置１０とは別体として設けてもよく、例えば操作装置１０を図１に示すように巻取軸４ａ，４ｂの右端側に設けているときに、巻取軸４ａ，４ｂの左端側に回転方向切替機構３０を設けてもよい。
【００８８】
また、上述した実施形態の例では、主として、回転方向切替機構３０は、駆動歯車１６、伝達歯車１７、及び回転方向切替式の被動歯車ユニット２０を備える例を説明したが、回転方向切替機構３０は、伝達歯車１７を設けない構成とすることや、複数設ける構成とすることもできる。
【００８９】
また、上述した実施形態の例では、主として、キャリア２３に所定の制動トルクを生じさせるために、ブレーキバネ２５を制動部材として用いる例を説明したが、キャリア２３に所定の制動トルクを生じさせるものであればよく、例えばゴム材でもよい。
【００９０】
また、上述した実施形態の例では、主として、回転方向切替機構３０は、調光操作及び昇降操作に係るプーリー１５の回転に対し、調光操作時には巻取軸４ａ，４ｂを互いに逆方向に同期回転させ、昇降操作時には巻取軸４ａ，４ｂを互いに同方向に同期回転させ、調光操作から昇降操作へ、及び昇降操作から調光操作へ連続的に移行する際に、巻取軸４ａ，４ｂの回転を停止させることなく、巻取軸４ａ，４ｂの互いの回転方向を連続的に切り替える主たる機能を、巻取軸４ａの回転に関連付けられる回転方向切替式の被動歯車ユニット２０に持たせる例を説明したが、これに限定する必要はない。例えば、巻取軸４ａを回転させる歯車を単なる平ギヤの被動歯車で構成し、巻取軸４ｂの回転に対し当該回転方向切替式の被動歯車ユニット２０と同様の機能を持たせて、回転方向切替機構３０を構成することや、当該巻取軸４ｂの回転に一体となって回転する駆動歯車１６の回転を当該巻取軸４ａを回転させるための単なる平ギヤの被動歯車へと伝達する伝達歯車に対し当該被動歯車ユニット２０と同様の機能を持たせて、回転方向切替機構３０を構成することも可能である。
【産業上の利用可能性】
【００９１】
本発明によれば、前後二重のスクリーンの相対移動による採光量の調整時、更には昇降操作の切り替え時に、錘部材の大型化を抑えつつ錘部材の上下動を防止可能となるので、前後二重のスクリーンを有するロールスクリーンの用途に有用である。
【符号の説明】
【００９２】
１  取付ブラケット
２  フレーム
３  支持ブラケット
４ａ，４ｂ  巻取軸
５ａ  第１スクリーン
５ｂ  第２スクリーン
６  ウェイトバー
７  ボトムカバー
８  透光部
９  遮光部
１０  操作装置
１１  ボールチェーン
１４  操作装置のケース
１６  駆動歯車
１７  伝達歯車
２０  回転方向切替式の被動歯車ユニット
２１  内歯車
２２  太陽歯車
２３  キャリア
２４  遊星歯車
２５  ブレーキバネ
３０  回転方向切替機構
【図１】
2019060073.tif 000003
【図２】
2019060073.tif 000004
【図３】
2019060073.tif 000005
【図４】
2019060073.tif 000006
【図５】
2019060073.tif 000007
【図６】
2019060073.tif 000008
【図７】
2019060073.tif 000009
【図８】
2019060073.tif 000010